(57)【要約】      （修正有）【課題】本考案は、観光バスの座席横に設置する間仕切りロールスクリーンおよびペット同伴で乗車できる観光バスを提供する。【解決手段】支柱２２にはスクリーン取り付けフック２４を上下に備えるとともに、ロールスクリーン１およびスクリーン巻取り部２１とを備える。ロールスクリーン１は取手切り欠き部分２３と係止具２７とを備える。前の座席装置３の側面に配置された支柱２２のスクリーン取り付けフック２４に、後の座席装置３の側面に配置された支柱２２に設置したロールスクリーン１の係止具２７を取り付けることによってロールスクリーン１を固定することができる。【選択図】図３
0003235573.tif 000002
【実用新案登録請求の範囲】
【請求項１】
観光バスの通路側座席装置の側面に取り付けた支柱に設置され、ペットの視界を遮るロールスクリーンであって、
スクリーン取り付け部分と、
取手切り欠き部分と、
を有することを特徴とするロールスクリーン。
【請求項２】
車室内の前後方向に設けられた通路に沿って座席装置を片側交互に配設してなるペット同伴用の観光バスであって、
前記座席装置には請求項１のロールスクリーンで間仕切りし、前記座席装置のプライベート空間を形成することを特徴とするペット同伴用の観光バス。
【考案の詳細な説明】
【技術分野】
【０００１】  本考案は、観光バスの座席横に設置する間仕切りロールスクリーンおよびペット同伴で乗車できる観光バスに係るものである。
【背景技術】
【０００２】  最近はペットブームと言われるように、ペットを飼育する人が増加していて、ことに小型犬、中型犬、大型犬、猫などのペットが好まれる傾向にあり、このようなペットブームを背景として、観光地等においてペットとの同伴旅行の需要が増大している。そのため、バス会社や旅行代理店など、ニッチをねらったニュー・ビジネスとして大きな関心を呼んでおり、バス会社や旅行代理店などは、ペットとの同伴旅行のツアーといった旅行商品の企画・販売などが進みつつあるところである。【０００３】  バス会社や旅行代理店などが企画するペットとの同伴旅行では、これらのペットと飼い主が必然的に一緒に移動する。この際、バスや列車、飛行機等の公共交通機関等を利用することとなる。列車で移動する際、ペット専用のキャリーバックに入れて搬送するほかなく、そのケースから出すことはできないし、ペットが静かにできないときは降車するとか、混雑する時間帯は利用を避ける等するほかなかった。また、飛行機で移動する際、ペットと飼い主の客室は別になり別途費用がかかるほか、ブルドックなどの短頭種犬は、熱中症や呼吸困難を引き起こしやすいなどの理由から、航空会社によって搬送できない場合がある。こういった事情から、観光バスでペットとの同伴旅行を企画する機会が増える。【０００４】  観光バスで移動する際には、比較的小型の犬や猫等はペット専用のキャリーバックに入れて搬送される場合もあるが、ペットとの同伴旅行でペットとの触れ合いを楽しむため、キャリーバックから出すことが多い。
【先行技術文献】
【特許文献】
【０００５】
【特許文献１】実用新案登録第３１９４７２３号公報
【特許文献２】実開平６−２７４６０号
【特許文献３】実開平３−８２２８４号
【考案の開示】
【考案が解決しようとする課題】
【０００６】  しかしながら、飼い主がペット専用のキャリーバックから出して飼い主と同じ座席で搬送するものの、ペット同士が観光バス内で敏感に反応してしまい、執拗に吠えてたり鳴いたりする。このため、ペットの安全輸送が困難であるだけでなく、ペットの動きに捕らわれて観光バスの運転手の注意が乱され、安全運転に集中できないため、事故につながりかねない。【０００７】  ペット同士が敏感に反応しないようには間仕切りを座席に配置することになるが、間仕切りはワンボックス型自動車や普通自動車といった車種の前座席と後部座席のとの間を仕切ることに限定されていた。  ペット同士が敏感に反応しないようには間仕切りを座席に配置することになるが、間仕切りはワンボックス型自動車や普通自動車といった車種の前座席と後部座席のとの間を仕切ることに限定されていた。【０００８】  また、従来の観光バスはペットがリードや飼い主の膝上で過ごすことはできず、乗客の居住性と乗り心地のみを重要視した座席配置が採用されていた。【０００９】  本願の考案者は、前記の問題点を解決すべく種々検討を行った結果、乗降口へ通じかつ前後方向に延びる通路部から出入りできる座席横に設置することができ、簡単な構造を持ち使い勝手の良い間仕切りロールスクリーンを考案するものである。【００１０】  また、本願の考案者は、ペット同伴で客席に乗車してもペット同士が敏感に反応せず、かつプライバシー空間を作ってペット同伴旅行を楽しむことができる観光バスを考案するものである。
【課題を解決するための手段】
【００１１】  前記課題を解決するために、本願の請求項１に係る考案は、観光バスの通路側座席装置の側面に取り付けた支柱に設置され、ペットの視界を遮るロールスクリーンであって、スクリーン取り付け部分と取手切り欠き部分とを有することを特徴とするものである。【００１２】  前記課題を解決するために、本願の請求項２に係る考案は、車室内の前後方向に設けられた通路に沿って座席装置を片側交互に配設してなるペット同伴用の観光バスであって、座席装置には請求項１のロールスクリーンで間仕切りし、座席装置のプライベート空間を形成することを特徴とするものである。
【考案の効果】
【００１３】  本願の請求項１に係る考案によれば、ペットの視界を遮るため、ペット同士が観光バス内で敏感に反応してしまい、執拗に吠えたり鳴いたりすることもない。これにより、ペットの安全輸送を阻害されることもない。【００１４】  本願請求項２に係る考案によれば、ペットの視界を遮るため、ペット同伴で客席に乗車してもペット同士が敏感に反応せず、かつプライバシー空間を作ってペット同伴旅行を楽しむことができる。
【図面の簡単な説明】
【００１５】
【図１】本考案の一実施例の観光バスの側断面図である。
【図２】図１のＩＩ−ＩＩ断面図である。
【図３】本考案の一実施例におけるロールスクリーンの側面図である。
【図４】本考案の一実施例におけるロールスクリーンをとりつけた座席装置の平面図である。
【図５】本考案の一実施例におけるロールスクリーンの支柱の斜視図である。
【図６】本考案の一実施例に係る観光バスの座席装置前に置く箱を説明する側面図である。
【考案を実施するための形態】
【００１６】  以下、本考案の具体例を実施例及び図面を参照して詳細に説明する。ただし、以下に示すのは本考案の技術思想を具体化するための例を例示するものであって、本考案をこの実施例に特定することを意図するものではなく、その要旨を逸脱しない範囲において種々変更可能であり、実用新案登録請求の範囲に含まれる変更例に等しく適用し得るものである。
【００１７】  図１は本考案の一実施例の観光バスの側断面図である。図２は図１のＩＩ−ＩＩ断面図である。図３は本考案の一実施例におけるロールスクリーンの側面図である。図４は本考案の一実施例におけるロールスクリーンをとりつけた座席装置の平面図である。図５は本考案の一実施例におけるロールスクリーンの支柱の斜視図である。図６は本考案の一実施例に係る観光バスの座席装置前に置く箱を説明する側面図である。
【実施例】
【００１８】  図１および図２は、本考案の観光バスの一実施例を示している。すなわち、図１および図２に示したものは、観光バス本体１１は、車室内で前後方向に通路２を確保し、この通路２の左右両側に座席装置３が前後方向に配設されている。座席装置３は通路２を挟んで片側交互に配設されるため、座席装置３は通路２を挟んで横一列に配設されず、各前後方向において左右のどちらかに配設される。そのため、座席装置３はジグザクに点在した状態で配設されている。なお、座席装置３は二人掛け用である。さらに、各座席装置３と通路２の間はロールスクリーン１によって隔てられる。なお、本考案の観光バス１１の座席装置３の前に箱４を置くことができる。ペット同伴で客席に乗車してもペット同士が敏感に反応せず、かつプライバシー空間を作ってペット同伴旅行を楽しむことができる。【００１９】  図３および図４は、本考案のロールスクリーンの一実施例を示している。すなわち、ロールスクリーン１はスクリーン巻取部２１に巻かれているが、ロールスクリーン１を伸ばすことにより長さを調節することができる。ロールスクリーン１の片方の先端上下には支柱のスクリーン取り付けフック２４に取り付ける係止具２７を備える。また、ロールスクリーン１には取手切り欠き部分２３を備える。ロールスクリーン１の支柱２５が通路２側の座席装置３の側面に設置され、スクリーン巻取部２１からロールスクリーン１を引っ張って伸ばして、座席装置３の支柱２５のスクリーン取り付けフック２４に係止具２７で取り付けることができる。ロールスクリーン１と床との間には隙間２６が設けられる。座席装置３にロールスクリーン１を設置することにより、ペットの視界が遮られることから、ペット同士が観光バス内で敏感に反応してしまい、執拗に吠えたり鳴いたりすることもないし、ペットの安全輸送を阻害されることもない。観光バス１１は前後の座席装置３の間隔を１ｍ３０ｃｍ以下にしなければ、一般貸切旅客自動車運送事業の対象とならない。ロールスクリーン１の長さは１ｍ１０ｃｍから１ｍ３０ｃｍが好ましく、１ｍ２０ｃｍから１ｍ３０ｃｍがより好ましい。【００２０】  図５は、本考案のロールスクリーンの支柱の一実施例を示している。すなわち、支柱２２にはスクリーン取り付けフック２４を上下に備えるとともに、ロールスクリーン１およびスクリーン巻取り部２１とを備える。ロールスクリーン１は取手切り欠き部分２３と係止具２７とを備える。前の座席装置３の側面に配置された支柱２２のスクリーン取り付けフック２４に、後の座席装置３の側面に配置された支柱２２に設置したロールスクリーン１の係止具２７を取り付けることによってロールスクリーン１を固定することができる。これにより、ペットの視界が遮られることから、ペット同士が観光バス内で敏感に反応してしまい、執拗に吠えたり鳴いたりすることもないし、ペットの安全輸送を阻害されることもない。【００２１】  図６は、本考案の観光バスの座席装置の前に置く箱を説明している。すなわち、本考案の観光バス１１の座席装置３の前には箱４を置くことができる。客席に手荷物を置かなくても箱４の上に手荷物を置くことができ、これによりペットが座席装置３に座ることができる。
【符号の説明】１１  観光バス本体
１    ロールスクリーン
２    通路
３    座席装置
４    箱
２１  スクリーン巻取部
２２  支柱
２３  取手切り欠き部分
２４  スクリーン取り付けフック
２５  支柱
２６  隙間
２７  係止具
３１  肘置き
【図１】
0003235573.tif 000003
【図２】
0003235573.tif 000004
【図３】
0003235573.tif 000005
【図４】
0003235573.tif 000006
【図５】
0003235573.tif 000007
【図６】
0003235573.tif 000008